【手続補正書】
【提出日】平成17年7月20日(2005.7.20)
【手続補正１】
【補正対象書類名】明細書
【補正対象項目名】特許請求の範囲
【補正方法】変更
【補正の内容】
【特許請求の範囲】
【請求項１】
発信ネットワークノードの媒体アクセスコントローラから出力されたパケットデータを宛先ネットワークノードに転送するための方法であって、
複数の第１の媒体インタフェースリンクを構築するステップを含み、前記第１の媒体インタフェースリンクは各々、それぞれの物理層リンクに接続された物理層デバイスに接続され、前記それぞれの物理層リンクは宛先ノードと通信し、前記第１の媒体インタフェースリンクの各々は前記それぞれの物理層リンクにデータを第１のデータレートで伝送するように構成され、さらに、
前記パケットデータを前記媒体アクセスコントローラから第２の媒体インタフェースリンクを介して媒体インタフェースによって、前記第１のデータレートよりも高速の第２のデータレートで受取るステップと、
前記受取ったパケットデータを各々が所定の長さであるセグメントに分割するステップと、
前記受取ったパケットデータの所定の長さの各セグメントを前記第１の媒体インタフェースリンクのうち対応する１つのリンクへと前記第１のデータレートでかつ所定の出力プロトコルに従って伝送するステップとを含む、方法。
【請求項２】
前記分割するステップおよび前記伝送するステップは、
前記媒体アクセスコントローラから受取ったパケットデータに先行するプリアンブルを検出するステップと、
前記プリアンブルに続く前記受取ったパケットデータを伝送バッファ内に記憶するステップと、
前記所定の出力プロトコルに基づいて、前記伝送バッファから前記セグメントの各々を前記媒体インタフェースリンクの選択された１つのリンクに出力するステップとを含む、請求項１に記載の方法。
【請求項３】
前記出力するステップは、前記伝送バッファから前記各セグメントのために所定の数のビットを読取るステップを含む、請求項２に記載の方法。
【請求項４】
前記分割するステップおよび前記伝送するステップは、前記対応のセグメントの伝送の前に前記媒体インタフェースリンクの各々に対してプリアンブルを出力するステップを含む、請求項１に記載の方法。
【請求項５】
前記分割するステップおよび前記伝送するステップは、前記媒体インタフェースリンクの少なくとも１つのリンク上に伝送されたセグメントのために誤り訂正フィールドを生成しかつそれを出力するステップをさらに含む、請求項４に記載の方法。
【請求項６】
前記分割するステップおよび前記伝送するステップは、前記各セグメントを前記対応する１つの媒体インタフェースリンクへと、前記受取ったパケットデータ内の対応の位置に基づいて出力するステップを含む、請求項４に記載の方法。
【請求項７】
前記出力するステップは、
最初に、前記セグメントのうち第１のセグメントを前記媒体インタフェースリンクのうち１つのリンクに出力するステップと、
次に、前記セグメントのうち前記第１のセグメントと連続しかつそれに続く第２のセグメントを、第１のセグメントの出力から予め定められた間隔の後に前記媒体インタフェースリンクのうち第２のリンクに出力するステップとを含む、請求項６に記載の方法。
【請求項８】
前記所定の出力プロトコルは、前記セグメントが連続したシーケンスで、前記予め定められた間隔だけずらされて、前記それぞれの媒体インタフェースリンク上で伝送されるよう指定する、請求項７に記載の方法。
【請求項９】
前記予め定められた間隔は、物理層リンクのクロックサイクルに対応する、請求項７に記載の方法。
【請求項１０】
前記出力するステップは、
最初に、第１の連続するセグメントのグループを前記それぞれの媒体インタフェースリンクへと前記所定のプロトコルに従って同時に出力するステップと、
次に、第１の連続するグループに続く第２の連続するセグメントのグループを前記所定のプロトコルに従って前記それぞれの媒体インタフェースリンクに同時に出力するステップとを含む、請求項６に記載の方法。
【請求項１１】
前記宛先ネットワークノードの宛先媒体インタフェースにおいて、
前記それぞれの物理層リンク上を伝送されてきた前記プリアンブルの検出に基づいて、前記物理層リンクに同期するステップと、
前記それぞれの物理インタフェースリンクから前記セグメントを前記第１のデータレートで受取るステップと、
前記所定の出力プロトコルに基づいて、前記受取ったセグメントから前記受取ったパケットデータを復元するステップとをさらに含む、請求項４に記載の方法。
【請求項１２】
前記復元するステップは、
前記受取ったセグメントの各々を受信バッファ内に、受信シーケンスにおける対応の位置に基づいて記憶するステップと、
前記受信バッファに記憶されたデータを連続するシーケンスとして、前記宛先ネットワークノード内の宛先媒体アクセスコントローラへと前記第２のデータレートで出力するステップとを含む、請求項１１に記載の方法。
【請求項１３】
前記復元するステップはさらに、前記受信バッファ内に記憶された前記データの前記宛先ノードにおける媒体アクセスコントローラへの前記出力の前に先行するプリアンブルを生成し出力するステップを含む、請求項１２に記載の方法。
【請求項１４】
前記分割するステップおよび前記伝送するステップは、前記伝送されたセグメントのうち１つのセグメントのための誤り訂正フィールドを生成し前記媒体インタフェースリンクのうち対応する１つのリンクへと出力するステップをさらに含み、
前記方法は、前記宛先媒体インタフェースにおいて前記誤り訂正フィールドを検出するステップと、前記誤り訂正フィールドの検出に基づいて、前記対応の物理層リンクについて前記宛先媒体インタフェースにおけるリンクのステータスを判定するステップとをさらに含む、請求項１１に記載の方法。
【請求項１５】
前記分割するステップおよび前記伝送するステップは、
最初に、第１の連続するセグメントのグループを前記それぞれの媒体インタフェースリンクへと前記所定のプロトコルに従って出力するステップと、
次に、第１の連続するグループに続く第２の連続するセグメントのグループを前記それぞれの媒体インタフェースリンクへと、前記所定のプロトコルに従って、かつ連続するデータストリームとして、出力するステップとを含む、請求項１に記載の方法。
【請求項１６】
前記第１および第２の出力するステップは各々、対応の連続するセグメントのグループを同時に出力するステップを含む、請求項１に記載の方法。
【請求項１７】
前記第１および第２の出力するステップは各々、対応の連続するセグメントのグループを、前記物理層リンクの各々に対する対応の遅延オフセットに基づいて出力するステップを含む、請求項１５に記載の方法。
【請求項１８】
媒体アクセスコントローラから受取ったパケットデータを第１の伝送レートで、それぞれの物理層リンクに接続された物理層デバイスに接続されるそれぞれの媒体インタフェースリンクへと伝送するための装置であって、
前記媒体アクセスコントローラからの、前記パケットデータの開始を示すプリアンブルを検出するよう構成されたプリアンブル検出器と、
前記媒体コントローラから受取ったパケットデータを記憶するよう構成された伝送バッファと、
前記伝送バッファ内に記憶された前記パケットデータの所定の長さのセグメントを、前記それぞれの物理層リンクに接続された前記物理層デバイスに接続される前記それぞれの媒体インタフェースリンクへと出力するよう構成された媒体インタフェースコントローラとを含み、前記それぞれの物理層リンクは宛先ノードと通信し、前記セグメントは、前記第１の伝送レートよりも低速の第２の伝送レートでかつ所定の出力プロトコルに従って、前記それぞれの媒体インタフェースリンクへと出力される、装置。
【請求項１９】
前記媒体インタフェースコントローラからの制御信号に応答して、少なくとも第１のセグメントのグループの前記媒体インタフェースリンクへの伝送に先立って、プリアンブルを前記それぞれの媒体インタフェースリンクへと前記第２の伝送レートで出力するよう構成された複数のプリアンブル発生器をさらに含む、請求項１８に記載の装置。
【請求項２０】
前記媒体インタフェースコントローラは、前記第１のセグメントのグループが前記所定のプロトコルに従って前記媒体インタフェースリンクへと第１の連続するセグメントのグループとして出力されるように、かつ、第２の連続するセグメントのグループが前記第１の連続するグループに続いてかつ前記所定のプロトコルに従って前記媒体インタフェースリンクへと出力されるようにする、請求項１９に記載の装置。
【請求項２１】
前記媒体インタフェースコントローラは、前記第１の連続するグループの各々連続するセグメントが前記対応する媒体インタフェースリンクへと、先行するセグメントに続いて予め定められた遅延間隔で伝送されるようにする、請求項２０に記載の装置。
【請求項２２】
前記媒体インタフェースコントローラは、予め定められたリンク順に従って、前記第１の連続するセグメントのグループを前記それぞれの媒体インタフェースリンクへと同時に伝送する、請求項２０に記載の装置。
【請求項２３】
前記セグメントのうち少なくとも選択された１つのセグメントのための誤り検出コードを、対応の媒体インタフェースリンク上に出力するための誤り発生器をさらに含む、請求項１８に記載の装置。
【請求項２４】
前記誤り発生器は、前記対応するプリアンブルに続いて前記媒体インタフェースリンクのうち選択された１つのリンクに出力される複数の前記セグメントのための前記誤り検出コードを生成する、請求項２３に記載の装置。
【請求項２５】
前記プリアンブル発生器は各々、前記対応の媒体インタフェースリンクから受取ったプリアンブルを検出するためのプリアンブル検出回路を含み、
前記装置はさらに、前記媒体インタフェースリンクから受取ったセグメントを前記媒体インタフェースコントローラによって指定される順で記憶するための受信バッファと、
記憶されたセグメントを前記受信バッファから再収集されたデータパケットとして前記媒体アクセスコントローラへと供給するための媒体アクセス制御インタフェースコントローラとをさらに含む、請求項１８に記載の装置。
【請求項２６】
前記媒体インタフェースコントローラは、前記媒体インタフェースリンク間の検出された遅延オフセットに基づいて前記順を決定する、請求項２５に記載の
装置。
【請求項２７】
前記媒体インタフェースコントローラは、前記媒体インタフェースリンクの所定の順に基づいて前記順を決定する、請求項２５に記載の装置。
【請求項２８】
前記プリアンブル検出器は、前記再収集されたデータパケットに先行する第２のプリアンブルを前記媒体アクセスコントローラへと出力するためのプリアンブル生成回路を含む、請求項２５に記載の装置。